(57)【要約】      （修正有）【課題】手作業を基本としながらも、点滴を開始する際の滴下数の計算やクレンメの調整、並びに点滴中の滴下状態の確認を助ける、携帯型の補助具を提供する。【解決手段】入力はボタン７、９の押下に行われ、輸液総量と輸液時間が入力されると、滴下間隔を計算し、その間隔でブザーを鳴動させたり、振動モーターを駆動させて振動を発するので、点滴開始の際は音または振動を聞きながらクレンメを調整できる。また、点滴中に滴下毎にボタン７が押下されると、流量を計算し、ＬＣＤ表示器３に表示するので、実際に進行している点滴が所定の流量になっているかを確認できる。さらに、時計を表示させたり、ＬＥＤランプを点灯させたりもできるので、時計代わりにもなれば、暗所での作業にも対応できる。【選択図】図１
2014004250.tif 000002
【特許請求の範囲】
【請求項１】
携帯型点滴用ドリップカウンタであって、
ボタンの押下操作により情報及び要求を受取る受取り手段と、輸液の総量とその総量を全て送るのに掛ける総時間の情報から輸液の流量を計算し、更に前記流量と予め設定された滴数に従って滴下間隔を計算する第１計算手段と、報知要求に基づいて前記計算された滴下間隔を振動及び／または音の間欠的発生で報知する第１報知手段と、輸液の滴下間隔の情報から輸液の流量を計算する第２計算手段と、前記計算された輸液の流量を表示して報知する第２報知手段とを備え、作業者に、
前記受取り手段、第１計算手段及び第１報知手段の動作により、輸液ラインが合わせるべき滴下間隔を知らせ、
前記受取り手段、第２計算手段及び第２報知手段の動作により、輸液ラインの実際の滴下状態を知らせることを特徴とするドリップカウンタ。
【請求項２】
請求項１に記載した携帯型点滴用ドリップカウンタにおいて、
第２報知手段は、計算された滴下間隔と同期して針が動くアナログ時計の画像を表示して報知し、これも併用して輸液ライン側が合わせるべき滴下間隔を知らせることを特徴とするドリップカウンタ。
【請求項３】
請求項１または２に記載した携帯型点滴用ドリップカウンタにおいて、
第１報知手段は、輸液の滴下間隔の情報を受取ると、その滴下間隔に合わせて振動及び／または音を間欠的に発生させて報知し、これも併用して輸液ラインの実際の滴下状態を知らせることを特徴とするドリップカウンタ。
【請求項４】
請求項１から３のいずれかに記載した携帯型点滴用ドリップカウンタにおいて、
時計手段を備え、時計表示の要求に基づいて、第２報知手段が現在時刻を表示することを特徴とするドリップカウンタ。
【請求項５】
請求項１から４のいずれかに記載した携帯型点滴用ドリップカウンタにおいて、
ライト手段を備えることを特徴とするドリップカウンタ。
【発明の詳細な説明】
【技術分野】
【０００１】
本発明は、点滴を開始する際の輸液の滴下状態のセットや点滴中の滴下状態の確認の際に使用する、携帯型のドリップカウンタに関するものである。
【背景技術】
【０００２】
点滴を開始する際には、輸液総量と輸液時間とから流量を計算し、それに輸液ラインの滴数を考慮して単位時間当たりに滴下する滴下数を計算し、クレンメの開き度合いを調整して輸液の実際の滴下数が計算した滴下数になるようにしているが、大部分の現場では上記作業は手作業で行っており、輸液の滴下数は頭で計算するか、精々特許文献１に示す早見表のようなものを参照しながら求め、さらに、クレンメの調整は腕時計の秒針で滴下数をカウントしながら行っていた。
そのため、慣れない医療従事者が行うとミスが起こり易かった。
【先行技術文献】
【特許文献】
【０００３】
【特許文献１】特開２００６−１２２６３７号公報
【特許文献２】特開平０８−０３１７９７４号公報
【発明の概要】
【発明が解決しようとする課題】
【０００４】
上記作業ではなく、輸液ラインにセットして自動的に行うようにした装置も、既に特許文献２に示すように提案されており、そのような装置を利用すれば正確な点滴が可能となるが、一つの輸液ラインに対応して一つの装置をセットすることになり、全ての患者の点滴の際にその措置も一律に併用するのは、経済的な面を考えると現実的ではない。
また、点滴中にも輸液の滴下状態が変化する場合もあるので、点滴中の滴下状態を簡単に確認できれば都合が良い。
【０００５】
それ故、本発明は、上記課題を解決するために、手作業を基本としながらも、点滴を開始する際の滴下数の計算やクレンメの調整、並びに点滴中の滴下状態の確認を助ける、携帯型の補助具を提供することを、その目的とする。
【課題を解決するための手段】
【０００６】
上記課題を達成するために、請求項１の発明は、携帯型点滴用ドリップカウンタであって、ボタンの押下操作により情報及び要求を受取る受取り手段と、輸液の総量とその総量を全て送るのに掛ける総時間の情報から輸液の流量を計算し、更に前記流量と予め設定された滴数に従って滴下間隔を計算する第１計算手段と、報知要求に基づいて前記計算された滴下間隔を振動及び／または音の間欠的発生で報知する第１報知手段と、輸液の滴下間隔の情報から輸液の流量を計算する第２計算手段と、前記計算された輸液の流量を表示して報知する第２報知手段とを備え、作業者に、前記受取り手段、第１計算手段及び第１報知手段の動作により、輸液ラインが合わせるべき滴下間隔を知らせ、前記受取り手段、第２計算手段及び第２報知手段の動作により、輸液ラインの実際の滴下状態を知らせることを特徴とするドリップカウンタである。
【０００７】
請求項２の発明は、請求項１に記載した携帯型点滴用ドリップカウンタにおいて、第２報知手段は、計算された滴下間隔と同期して針が動くアナログ時計の画像を表示して報知し、これも併用して輸液ライン側が合わせるべき滴下間隔を知らせることを特徴とするドリップカウンタである。
【０００８】
請求項３の発明は、請求項１または２に記載した携帯型点滴用ドリップカウンタにおいて、第１報知手段は、輸液の滴下間隔の情報を受取ると、その滴下間隔に合わせて振動及び／または音を間欠的に発生させて報知し、これも併用して輸液ラインの実際の滴下状態を知らせることを特徴とするドリップカウンタである。
【０００９】
請求項４の発明は、請求項１から３のいずれかに記載した携帯型点滴用ドリップカウンタにおいて、時計手段を備え、時計表示の要求に基づいて、第２報知手段が現在時刻を表示することを特徴とするドリップカウンタである。
【００１０】
請求項５の発明は、請求項１から４のいずれかに記載した携帯型点滴用ドリップカウンタにおいて、ライト手段を備えることを特徴とするドリップカウンタである。
【発明の効果】
【００１１】
本発明の携帯型点滴用ドリップカウンタは、点滴を開始する際の滴下数の計算やクレンメの調整、並びに点滴中の滴下状態の確認を助けており、これを用いれば、慣れていない作業者が手作業しても点滴を正確に行わせることができる。
【図面の簡単な説明】
【００１２】
【図１】本発明の実施の形態に係る携帯型点滴用ドリップカウンタの外観の正面図である。
【図２】図１の上面図である。
【図３】図１の携帯型点滴用ドリップカウンタのブロック図である。
【図４】図１の携帯型点滴用ドリップカウンタのスリープモードと待機モードの切替えフローと、対応画面を示す。
【図５】図４の待機モード後の複数モード間の切替え動作フローと、各モードの初期画面を示す。
【図６】流量計測モードの流量計測フローと、遷移画面を示す。
【図７】流量計測モードにおける滴数の変更手順と、遷移画面を示す。
【図８】メトロノームモードの設定フローと、遷移画面を示す。
【図９】メトロノームモードの作動フローと、遷移画面を示す。
【図１０】メトロノームモードの作動中の別画面の例を示す。
【図１１】時計表示モードにおける時計合わせフローと、遷移画面を示す。
【図１２】時計表示モードの時計合わせにおける１２Ｈと２４Ｈとの切替え画面を示す。
【発明を実施するための形態】
【００１３】
本発明の実施の形態に係る携帯型点滴用ドリップカウンタ１を、図面に従って説明する。
この携帯型点滴用ドリップカウンタ１の筺体の大きさや外観は、図１に示すように、片手で持てる程度のコンパクトな携帯型になっており、紐Ｈを通せば携帯電話と同様に首から吊り下げるようにできる。
【００１４】
この携帯型点滴用ドリップカウンタ１の筺体は、ＬＣＤ表示器３と、モード変更ボタン５、カウントボタン７、およびリセットボタン９と、音を出力するブザー１１と、振動を出力する振動モーター１３と、ＬＥＤランプ１５と、現在時刻を告知する時計（タイマ）ＩＣ１７と、計算式や、設定値（輸液総量、輸液時間、流量、滴数）やＬＣＤ表示器３で表示する画面の表示制御条件等を記憶する外部メモリ１９とを備えており、筺体の正面にＬＣＤ表示器３が設けられ、モード変更ボタン５、カウントボタン７、およびリセットボタン９が、片手で持ちながら押し易いように上側に設けられている。これらボタンのうちモード変更ボタン５のみは誤って押されるのを避けるため、凹部に設けられており、筺体上面からは突出していない。また、ＬＥＤランプ１５も、片手で持ちながら照らす位置を変えやすいように、上側に設けられている。
【００１５】
また、制御部・計算部としてのマイコン２１を備えており、上記各部を制御すると共に計算処理を行うことで、各手段を実現している。
具体的には、受取り手段は、作業者の操作に因って情報や要求をマイコン２１に受け渡すものであり、マイコン２１がモード変更ボタン５、カウントボタン７、およびリセットボタン９を制御して実現している。なお、マイコン２１は内蔵タイマによりボタンの押下間隔をカウントしたり、ボタンの押下が長押しになるか否かを判別している。
第１報知手段は、音や振動を発して報知するものであり、マイコン２１がブザー１１や振動モーター１３を制御して実現している。制御パターンは、外部メモリ１９から取得する。
第２報知手段は、表示して報知するものであり、マイコン２１が作成画面をＬＣＤ表示器３に送り表示させて実現している。作成に必要な画面のデザインは外部メモリ１９から取得する。
【００１６】
ライト手段は、マイコン２１がＬＥＤランプ１５を制御して実現している。また、点灯時間は、内蔵タイマのカウントにより計測している。
時計手段は、マイコン２１が時計ＩＣ１７から現在時刻を取得し、外部メモリ１９に記憶させた時計画像と組み合わせて時計画面を作成し、その時計画面をＬＣＤ表示器３に送って表示させて実現している。
第１計算手段は、マイコン２１が外部メモリ１９から取得した計算式に、ボタンの押下から取得した数値情報を代入し、流量や滴下間隔を算出させて実現している。
第２計算手段は、マイコン２１がボタンの押下から取得した滴下間隔の情報と、外部メモリ１９から取得した滴数と計算式の情報から流量を算出させて実現している。
【００１７】
次に、モード毎に、各手段の動作フローを、ＬＣＤ表示器３で表示される画面を提示しながら説明する。
ボタン５、７、９やＬＣＤ表示器３をモード毎に使い分けできるように、複数のモードを切替えるようになっており、先ず、電源ＯＮ／ＯＦＦと、モードの変更について説明する。
【００１８】
〈スリープモード／待機モード〉（図４）
電源ＯＦＦ中は、〈スリープモード〉になっている。［モード変更］ボタン５を押下されると、マイコン２１が電源をＯＮにして、待機モードを兼ねた〈時計表示モード〉に入り、現在時刻を取得した時計表示画面を生成し、ＬＣＤ表示器３に表示させる。なお、この実施の形態では、デジタルの時計画像になっているが、アナログの時計画像にしてもよい。
なお、電源ＯＮになると、内蔵タイマがカウントを開始し、ボタン５、７、９の押下（信号）が入力されない時間が３０秒を超えると、電源をＯＦＦにして〈スリープモード〉に戻している。
【００１９】
〈モード変更〉（図５）
モードは、〈時計表示モード〉、〈流量計測モード〉、〈メトロノームモード〉の３種類になっており、［モード変更］ボタン５が押下されると、モードを変更し、それぞれの初期画面を作成し、ＬＣＤ表示器３に表示させる。
具体的には、電源ＯＮ後、最初の［モード変更］ボタン５の押下で、〈時計表示モード〉から〈流量計測モード〉に変更し、二回目の押下で、〈流量計測モード〉から〈メトロノームモード〉に変更し、三回目の押下で、〈メトロノームモード〉から〈時計表示モード〉に変更して戻す。四回目以降の押下を受けると、上記した順序で再びモードを順次変更する。
なお、モードが変更すると、内蔵タイマがカウントを開始し、〈流量計測モード〉、〈メトロノームモード〉において、ボタン５、７、９の押下（信号）が入力されない時間が３０秒を超えると、〈時計表示モード〉に戻している。
【００２０】
〈流量計測モード〉（図６）
このモードは、作業者が、点滴中の輸液の滴下状態を確認するのに利用する。
初期画面では、前回の測定値「４５ｍｌ／ｈ」が表示されている。また、右上には、予め外部メモリ１９に記憶させた滴数「２０滴／ｍｌ」が表示されている。
［リセット］ボタン７が押下されると、が前回の測定値をクリアし、「―――ｍｌ／ｈ」と切替え表示させる。
いて、輸液の滴下のタイミングに合わせて、［カウント］ボタン７が押下されると、流量の算出に利用する第１回目の滴下と認識し、流量計測処理をスタートさせ、内蔵タイマにカウントを開始させる。また、ブザー１１に「ピッ」と鳴動させると共に、数字部分、即ち最初は「―――」と表示された部分を一回点滅させる。
【００２１】
その次の輸液の滴下のタイミングに合わせて、［カウント］ボタン７が再び押下されると、その次の滴下と認識して、ブザー１１を「ピッ」と再び鳴動させる。また、内蔵タイマのカウントからその滴下までに掛かった時間を計時し、それを予め設定されている滴数「２０滴／ｍｌ」が当てはめられた計算式に代入して流量を計算する。そして、その計算結果である「４０ｍｌ／ｈ」の流量表示画面を作成し、ＬＣＤ表示器３に一回点滅させた上で表示させて報知する。さらに、内蔵タイマをリセットし、再び流量計測処理をスタートさせる。即ち、内蔵タイマでカウントを再び開始させる。
以降、［カウント］ボタン７が押下されるごとに、上記した流量計測処理を行い、その都度流量を更新表示させる。
そして、[モード変更]ボタン５の押下、または上記した３０秒を超える応答無により、直前の流量を記憶した上で、〈時計表示モード〉に強制的に戻して、流量計測処理を終了する。従って、流量を変更しないで次の点滴に利用する場合には、この処理を省略できる。
【００２２】
なお、滴数の設定は変更できる。
図７に示すように、［モード変更］ボタン５が３秒以上長押しされると、変更要求と受取り、その受入れ態勢に入ったことを示すために、先ず、滴数の既存の設定値「２０滴／ｍｌ」を点滅表示させる。
続いて、［カウント］ボタン７が押下されると、外部メモリ１９から別の候補の滴数「６０滴／ｍｌ」を取得し、ＬＣＤ表示器３に表示させる。
そして、[モード変更]ボタン５の押下により、滴数の「６０滴／ｍｌ」への変更を確定した上で、通常の〈流量計測モード〉に戻す。
【００２３】
〈メトロノームモード〉（図８、図９、図１０）
このモードは、点滴を開始する際に、輸液ラインのクレンメの開き度合いを調整するのに利用する。
ＬＣＤ表示器３の初期画面では、滴数と、輸液総量と、輸液時間と、流量が表示されている。外部メモリ１９には、上記した設定値と、滴下間隔のデータが記憶されている。
先ず、メトロノームの設定の変更について、図８に従って説明する。
〈メトロノームモード〉で［カウント］ボタン７が３秒以上長押しされると、その長押しを輸液総量の変更要求と受取り、変更の受入れ態勢に入り、輸液総量の既存の設定値「１０００」を点滅表示させる。続いて、［カウント］ボタン７が押下されると、その押下毎に輸液総量が１００ｍｌずつ増加し、［リセット］ボタン９が押下されると、その押下毎に輸液総量が１００ｍｌずつ減少し、押下毎に流量と滴下間隔を計算し、外部メモリ１９に対してその流量の設定値及び滴下間隔を輸液総量の設定値と共に更新させる。また、輸液総量「１１００」、流量「１１０」共に、最新のものを更新表示させる。
【００２４】
［モード変更］ボタン５が押下されると、その押下を輸液時間の変更要求と受取り、変更の受入れ態勢に入り、輸液時間の既存の設定値「１０：００」を点滅表示させる。続いて、［カウント］ボタン７が押下されると、その押下毎に輸液時間が３０分ずつ増加し、［リセット］ボタン９が押下されると、その押下毎に輸液時間が３０分ずつ減少し、押下毎に流量と滴下間隔を計算し、外部メモリ１９に対してその流量の設定値、及び滴下間隔を輸液時間の設置値と共に更新させる。また、輸液時間「１０：３０」、流量「１０４」共に、最新のものを更新表示させる。
そして、[モード変更]ボタン５の押下により、輸液総量、輸液時間への変更を確定した上で、通常の〈メトロノームモード〉に戻す。
【００２５】
次に、メトロノームの作動について、図９に従って説明する。
［カウント］ボタン７が押下されると、その押下をメトロノームの作動要求と受取り、外部メモリ１９から滴下間隔を読み出し、その滴下間隔を駆動タイミングとしてブザー１１を「ピポ」と鳴動または振動モーター１３を駆動させて振動を発生させる。また、メトロノームが作動中を示すために、輸滴の画像を表示させる。
作業者は、ブザー１１の音または振動モーター１３の振動に合わせて、輸液が滴下するよう、輸液ラインのクレンメの開き度合いを調整できる。
次に、［カウント］ボタン７が押下されると、最初の動作（メトロノームモード）に戻し、［モード変更］ボタン５が押下されると、マイコン２１はその押下をメトロノームの停止要求と受取り、ブザー１１や振動モーター１３を停止させると共に、輸滴の画像を消去する。
ブザー１１と振動モーター１３は択一的に切替え動作するようになっており、いずれかが初期設定されているが、いずれかの動作中に、［リセット］ボタン９が押下されると切替え要求と受取って切替える。
【００２６】
メトロノームの作動中の別画面の表示例について、図１０に示す。
この例では［カウント］ボタン７が押下されると、マイコン２１はその押下をメトロノーム機能のスタート要求と受取り、この例では、アナログのストップウオッチの画面を表示させる。ストップウオッチの画像は目盛を表す画像と、内蔵タイマのカウントに合わせて回動する指針を示す画像とが合成されて生成されている。指針は、タイマのカウント開始で動き始め、滴下間隔の時間が経過するとタイマがリセットされると共に一旦１２時の位置に戻り、再びタイマのカウント開始で動き始めるようになっている。即ち、滴下間隔が１５秒の場合には、指針は回動して１／４周したところで、１２時の位置に戻り、再び回動するようになっている。
【００２７】
〈時計モード〉（図１１）
上記したように、電源がＯＮになったときの待機モードが時計モードになっており、時計ＩＣ１７で現在時刻を取得して、数字画像を生成して表示している。
時計合わせは以下の動作によりなされる。
先ず、［カウント］ボタン７と［モード変更］ボタン５が同時に３秒以上長押しされると、時計合わせ要求と受取り、マイコン２１が先ず「年」の設定態勢となり、先ず「年」の設定値を点滅表示させる。［カウント］ボタン７が押下されると、その押下毎に「年」を＋１し、３秒以上長押しされると、早送りする。
次に、［モード変更］ボタン５が押下されると、「月」の設定値を点滅表示させる。そして、［カウント］ボタン７の押下により上記のように数値を＋１ずつ送る、長押しにより早送りする。
【００２８】
「日」、「時」、「分」についても同様であり、［モード変更］ボタン５の押下により、順次、それらの設定受入れ態勢となり、［カウント］ボタン７の押下により変更する。
そして、[モード変更]ボタン５の押下により、時計合わせを終了した上で、通常の〈時計表示モード〉に戻す。
なお、時間には１２Ｈ表示と、２４Ｈ表示があり、図１２に示すように、「時」の設定態勢で、［リセット］ボタン９が押下されると、現在設定が１２Ｈならば、２４Ｈ表示に変更し、現在設定が２４Ｈならば、１２Ｈ表示に変更する。
【００２９】
ＬＥＤランプ１５は、電源ＯＮ中は、［リセット］ボタン９が３秒以上長押しされると、マイコン２１が点灯要求と受取って点灯させると共に、内蔵タイマでカウントを開始し、点灯時間が３０秒を超えたところで消灯させる。或いは、もう一度［リセット］ボタン９が押下されると、即座に消灯する。
なお、メトロノームモードでの設定中や、時計合わせ中は、ＬＥＤランプ１５は点灯できない。
【００３０】
この携帯型点滴用ドリップカウンタ１によれば、上記したように、多機能タイプとなっており、時計を表示させたり、ＬＥＤランプ１５を点灯させたりもできるので、時計代わりにもなれば、暗所での作業にも対応できる。
【００３１】
以上、本発明の実施の形態を説明したが、本発明の具体的構成は上記の実施の形態に限定されるものではなく、本発明の要旨から外れない範囲での設計変更があっても本発明に含まれる。
例えば、筺体の形状や、表示画面中の各種画像の大きさやデザインは変更できる。例えば、メトロノームの作動中は、設定値は表示せず、アナログ時計の画像だけを大きく表示してもよい。また、回路構成についても同様である。
【符号の説明】
【００３２】
１‥‥携帯型点滴用ドリップカウンタ
３‥‥ＬＣＤ表示器                  ５‥‥モード変更ボタン
７‥‥カウントボタン                ９‥‥リセットボタン
１１‥‥ブザー                      １３‥‥振動モーター
１５‥‥ＬＥＤランプ                １７‥‥時計ＩＣ
１９‥‥外部メモリ                  ２１‥‥マイコン
Ｈ‥‥紐
【図１】
2014004250.tif 000003
【図２】
2014004250.tif 000004
【図３】
2014004250.tif 000005
【図４】
2014004250.tif 000006
【図５】
2014004250.tif 000007
【図６】
2014004250.tif 000008
【図７】
2014004250.tif 000009
【図８】
2014004250.tif 000010
【図９】
2014004250.tif 000011
【図１０】
2014004250.tif 000012
【図１１】
2014004250.tif 000013
【図１２】
2014004250.tif 000014